(57)【特許請求の範囲】
【請求項１】
天板とスカート部から成り、前記スカート部の内面に螺子部を形成し、一方外面の高さ方向中央よりも下方部に、４個以上の突起部を等間隔に同じ突出量で形成し、前記突起部間を内方に湾曲する曲面部で連続的に連結したことを特徴とする合成樹脂キャップ。
【請求項２】
外径が４０ｍｍ以下であることを特徴とする請求項１に記載の合成樹脂キャップ。
【請求項３】
前記突起部の上端部をテーパ状としたことを特徴とする請求項１又は２に記載の合成樹脂製キャップ。
【請求項４】
前記突起部の外周面を曲面状としたことを特徴とする請求項１乃至３の何れかに記載の合成樹脂キャップ。
【請求項５】
前記突起部の突出量を２乃至４ｍｍとしたことを特徴とする請求項１乃至４の何れかに記載の合成樹脂キャップ。
【請求項６】
スカート部の下方にブリッジを介して環状リングが連結されていることを特徴とする請求項１乃至５の何れかに記載の合成樹脂キャップ。
【請求項７】
前記突起部が環状リングよりも突出していることを特徴とする請求項６に記載の合成樹脂キャップ。
【発明の詳細な説明】
【０００１】
【発明の属する技術分野】
本発明は、飲料、食品等を充填密封するプラスチックボトル、ガラスビン、チューブ等の容器、或いはパウチの注出用スパウトに用いる合成樹脂キャップに関し、特に容易に開口が可能で、また、開口時の感触、感覚が良好な合成樹脂キャップに関するものである。
【０００２】
【従来の技術】
従来、プラスチックボトル、ガラスビン、チューブ等の容器、或いはパウチの注出用スパウトから内容物を容易に取り出すために、合成樹脂キャップが各種飲料、食品等に多数用いられている。そして、この種の合成樹脂キャップにおいては、前記キャップを握り、手指で回転して開口を行う際の指掛かりが重要となり、特に子供、女性、高齢者は手指による開口力不足によって開口不良となるため、前記指掛かりが重要となる。
【０００３】
これに対し、図１２に例示するように、前記キャップのスカート部Ｓの外周面にローレット加工Ｒ等を施して指掛かりを容易にしたキャップ１１が多数提案されている。
【０００４】
一方、図１３乃至図１５に例示するように、キャップのスカート部Ｓの高さ方向のほぼ全高に突起部Ｐを対称的に二本設けて、開口時の指掛かりを容易にしたキャップ２１も提案されている。
【０００５】
【発明が解決しようとする課題】
しかしながら、ローレット加工Ｒをスカート部Ｓの外周面に施したキャップ１１は、その外周面が結露、湿気、水分等或いは汗で濡れると滑り易く、特に、前記キャップが小径の場合は、この傾向が顕著に現れる。一方、キャップ外周面の高さ方向のほぼ全高に突起部を対称的に二個設けたキャップは、前記突起部間の距離が大でキャップ開口時に滑り易い。そして、開口時の高さ方向における指掛かり位置も一定せず、突起部の上方でキャップを回転した場合は捻れ、撓み等の変形を生じて開口しづらく、また、突起部がキャップ外周面の上方にも設けられているため、開口時のキャップに対する手指のフィット感、握り易さ等に欠ける。また、前述したキャップ等の欠点は、特にその外径が小径の４０ｍｍ以下の主に指で開口するキャップの場合に顕著に現れる。さらに、図１２に例示するように、スカート部Ｓの下方にブリッジを介して連結されている不正開封防止用の環状リングＴを形成したキャップ、特に小径のキャップにおいては、開口時にスカート部Ｓと共に環状リングＴも指で握ってしまい、開口不良となる恐れもある。
【０００６】
【課題を解決するための手段】
本発明によれば、天板とスカート部から成り、前記スカート部の内面に螺子部を形成し、一方外面の高さ方向中央よりも下方部に、４個以上の突起部を等間隔に同じ突出量で形成し、前記突起部間を内方に湾曲する曲面部で連続的に連結した合成樹脂キャップが提供される。また、本発明の合成樹脂キャップにおいては、外径が４０ｍｍ以下であることが好ましい。また、本発明の合成樹脂キャップにおいては、前記突起部の上端部をテーパ状とすることが好ましい。また、本発明の合成樹脂キャップにおいては、前記突起部の外周面を曲面状とすることが好ましい。また、本発明の合成樹脂キャップにおいては、前記突起部の突出量を２乃至４ｍｍとすることが好ましい。また、本発明の合成樹脂キャップにおいては、前記スカート部の下方にブリッジを介して環状リングを連結することが好ましい。さらに、本発明の合成樹脂キャップにおいては、前記突起部が環状リングよりも突出していることが好ましい。
【０００７】
【発明の実施の形態】
本発明の合成樹脂キャップは、天板とスカート部から成り、該スカート部の内面に螺子部を形成し、一方外面の高さ方向中央よりも下方部に、個以上の突起部を等間隔に同じ突出量で形成し、前記突起部間を内方に湾曲する曲面部で連続的に連結することが特徴である。即ち、合成樹脂キャップにおいて前記構成とすることにより、螺子部と突起部間で梃子作用が働き、小さな開口力で容易に開口が行われ、また、開口時の指掛かりも確実に行われる。尚、前記突起部は等間隔に４個以上としたが、好ましくは４個乃至６個がキャップと手指のフィット感、握り易さ、開口時等の回転力の伝達の点で好ましい。また、突起部の間隔、突出量は、ほぼ等間隔、ほぼ同じ突出量でも良い。
【０００８】
本発明の合成樹脂キャップは、特に、飲料等のプラスチックボトル、金属製ボトル等の口部外径が比較的小径の場合に好適であって、前記キャップの外径が４０ｍｍ以下の場合に特に好適である。
【０００９】
本発明の合成樹脂キャップにおいては、前記突起部の上端部をテーパ状とすることが、開口時の該キャップの外周面に形成された突起部に対する指掛かりをスムーズに行う点で好ましい。
【００１０】
また、本発明の合成樹脂キャップにおいては、前記突起部の外周面を曲面状とすることが、さらに、開口時の該キャップの回転による手指の怪我防止、或いは手指への負担を軽減する点で好ましい。
【００１１】
また、本発明の合成樹脂キャップにおいては、前記突起部間を内方に湾曲する曲面部で連続的に連結することが、さらに、指掛かりのフィット感、及び回転力の伝達の点で好ましい。
【００１２】
また、本発明の合成樹脂製キャップにおいては、前記突起部の突出量を２乃至４ｍｍとすることが、指掛かり、回転力の伝達、手指のけが防止、材料の節減の点で好ましい。
【００１３】
また、本発明の合成樹脂キャップにおいては、前記スカート部の下方にブリッジを介して環状リングを連結することが、キャップによって内容物を密封した後の不正開封を確実に防止する点で好ましい。
【００１４】
さらに、本発明の合成樹脂キャップにおいては、前記突起部が環状リングよりも突出していることが、開口時にスカート部と共に環状リングを指で握ることにより生じる開口不良を防止する点で好ましい。
【００１５】
以下、本発明の実施形態を、図面を参照して説明する。
［第一の実施形態］図１乃至図４は、本発明の合成樹脂キャップの第一の実施形態を示す図で、合成樹脂キャップ１は天板２とスカート部３から成り、図２に示すようにスカート部の内面には螺子部４が形成されている。一方、合成樹脂キャップ１のスカート部３の外面には、その高さ方向中央よりも下方部に、該スカート部３の下端に向かう４個の上端部５ａをテーパ状とした突起部５が等間隔に同じ突出量で、後述する環状リング７よりも突出するように形成されている。また、前記スカート部３の下端には、前記キャップ１の開口時に切断可能なブリッジ６を介して内面に係止片８を有する環状リング７が設けられ、図示しないが容器口部に設けた係止機構との組み合わせにより不正開封防止機構としている。そして、本実施形態によれば、螺子部と突起部間で梃子作用により、容易に開口が行われ、開口時のキャップの外周面に形成された突起部に対する指掛かりもスムーズに行われる。
【００１６】
［第二の実施形態］図５乃至図７は、本発明の合成樹脂キャップの第二の実施形態を示す図で、前記突起部５の外周面５ｂを曲面状としたもので、他の構成は前述した第一の実施形態と同様で、本実施形態によれば、さらに、開口時の該キャップの回転による指のけがの防止、或いは手指への負担を軽減することが可能となる。
【００１７】
［第三の実施形態］図８乃至図１１は、本発明の合成樹脂キャップの第三の実施形態を示す図で、前記突起部５間を内方に湾曲する曲面部９で連続的に連結したもので、他の構成は前述した第一及び第二の実施形態と同様で、本実施形態によれば、さらに、指掛かりのフィット感、握り易さ及び開口時の回転力の伝達が向上する。また、図１１に示すように、合成樹脂キャップ１のスカート部３の外周面にローレット加工１０を施しても良い。尚、図示しないが、同様に前述した第一及び第二の実施形態においても、合成樹脂キャップ１のスカート部３の外周面にローレット加工を施しても良い。
【００１８】
【実施例】
［評価方法］
１．指掛かり性、フィット感、開口性女性パネラー１０名により、各種キャップにおける前記指掛かり性、フィット感、開口性を５段階で官能評価した。
【００１９】
【参考例１】
口部螺子外径２８ｍｍ、胴径９０ｍｍ、高さ３０５ｍｍの内容量１．５Ｌのポリエステルボトルに常温で水を充填した。一方、内径２８．２ｍｍ、外径３０ｍｍスカート部３の高さ１８．８ｍｍ、突起部５の高さ（テーパ部含む）９．２ｍｍ、突出量３．５ｍｍ、突起部の幅５．８ｍｍのポリプロピレン製合成樹脂キャップを１．９６Ｎ・ｍでキャッピングした。この時のキャップ開口時の開口トルクは１．７０Ｎ・ｍであり、このキャップについて前記評価を行った。
【００２０】
【参考例２】
参考例１において、突起部５の突出量３．５ｍｍ、外周面の曲率半径を２．９ｍｍとした以外は前記参考例１と同じ構成の合成樹脂キャップとし、同様の評価を行った。
【００２１】
【参考例３】
参考例２において、突起部５の突出量を２ｍｍとした以外は前記参考例２と同様の合成樹脂キャップとし、同様の評価を行った。
【００２２】
【参考例４】
参考例２において、突起部５を６個形成した以外は前記参考例２と同じ構成の合成樹脂キャップとし、同様の評価を行った。
【００２３】
【実施例１】
参考例２において、突起部５の突起部の幅１３ｍｍ、外周面の曲率半径８．３ｍｍ、前記突起部間の内方に湾曲する曲面部の曲率半径４４．９ｍｍとした以外は前記参考例２と同じ構成の合成樹脂キャップとし、同様の評価を行った。
【００２４】
【比較例１】
参考例１において、スカート部３に突起部５を形成しなかった以外は前記参考例１と同じ構成の合成樹脂キャップとし、同様の評価を行った。
【００２５】
【比較例２】
参考例１において、スカート部３の高さ方向のほぼ全高に突起部５を対称的に２個形成し、その突出量を２ｍｍとした以外は前記参考例１と同様の合成樹脂キャップとし、同様の評価を行った。
【００２６】
【比較例３】
参考例１において、突起部５を等間隔に３個形成し、その突出量を１ｍｍとした以外は前記参考施例１と同様の合成樹脂キャップとし、同様の評価を行った。
【００２７】
【比較例４】
参考例１において、突起部５を等間隔に３個形成し、その突出量を２ｍｍとした以外は前記参考例１と同様の合成樹脂キャップとし、同様の評価を行った。
【００２８】
【比較例５】
参考例１において、突起部５の突出量を１ｍｍとした以外は前記参考例１と同様の合成樹脂キャップとし、同様の評価を行った。
【００２９】
【比較例６】
参考例１において、スカート部３の高さ方向のほぼ全高に突起部５を等間隔に４個形成した以外は前記参考例１と同様の合成樹脂キャップとし、同様の評価を行った。前記実施例、比較例及び参考例における合成樹脂キャップの評価の結果を表１に示す。
【００３０】
【表１】
0004296735.tif 000002
【００３１】
【発明の効果】
本発明の合成樹脂キャップによれば、前記キャップを指で回転して開口を行う際に、小さな開口力で容易に開口が行われ、また、開口時の指掛かりも確実に行われる。
【図面の簡単な説明】
【図１】  本発明の第一の実施形態の参考図
【図２】  図１のＡ−Ａ断面図
【図３】  図１の平面図
【図４】  図１の底面図
【図５】  本発明の第二の実施形態の参考図
【図６】  図５の平面図
【図７】  図５の底面図
【図８】  本発明の第三実施形態の参考図
【図９】  図８の平面図
【図１０】  図８の底面図
【図１１】  本発明の第三の実施形態における他の参考図
【図１２】  従来のキャップの参考図
【図１３】  従来の他のキャップの参考図
【図１４】  図１３の平面図
【図１５】  図１４の底面図
【符号の説明】
１  合成樹脂キャップ
２  天板
３  スカート部
４  螺子部
５  突起部
６  ブリッジ
７  リング
８  係止部
９  曲面部
１０  ローレット加工
【図１】
0004296735.tif 000003
【図２】
0004296735.tif 000004
【図３】
0004296735.tif 000005
【図４】
0004296735.tif 000006
【図５】
0004296735.tif 000007
【図６】
0004296735.tif 000008
【図７】
0004296735.tif 000009
【図８】
0004296735.tif 000010
【図９】
0004296735.tif 000011
【図１０】
0004296735.tif 000012
【図１１】
0004296735.tif 000013
【図１２】
0004296735.tif 000014
【図１３】
0004296735.tif 000015
【図１４】
0004296735.tif 000016
【図１５】
0004296735.tif 000017